(57)【要約】【課題】  施設の利用人数と設置場所に応じて構成することのできる組立て式下駄箱を提供することにある。【解決手段】  前方開口部２１と上方開口部２２を有する靴収容体２と、該靴収容体を上下方向に接合した最上位段１Ａの上に取付ける天板体３と、最下位段１Ｂの下に取付ける台板体４とにより中間箱列１Ｄと最側端箱列１Ｃを構成し、両箱列を左右方向に接合固定して組箱１０を組立て、組箱の外側に側板５０を取付けるものであり、靴収容体と台板体に上方接続手段６を、靴収容体と天板体に下方接続手段７を、靴収容体と天板体と台板体と側板に側方接続手段８を備え、これらを上下方向と右方向に接合する一方、天板体から成る天板３０の前方側にシャッター格納部３２を形成し、最上位段の上に格納部に挿入し組箱の前方開口部を開閉する巻取り式シャッター８０を備えている。【選択図】        図１−１
2008119292.tif 000002
【特許請求の範囲】
【請求項１】
前方開口部（２１）と上方開口部（２２）を有する靴収容体（２）と、該靴収容体（２）を上下方向に接続した最上位段（１Ａ）の上に取付ける屋根体（３）と、最下位段（１Ｂ）の下に取付ける台体（４）とにより箱列（１）を構成し、その箱列（１）を左右方向に接続固定して組箱（１０）を組立て、組箱（１０）の最側端箱列（１Ｃ）の外側に側板（５０）を取付けるものであり、靴収容体（２）と台体（４）に上方接続手段（６）を、靴収容体（２）と屋根体（３）に下方接続手段（７）を備え、靴収容体（２）と屋根体（３）と台体（４）とを上下方向に接続すると共に、靴収容体（２）と屋根体（３）と台体（４）と側板（５０）の各々に側方接続手段（８）を備え、これらを左右方向に接続していることを特徴とする組立て式下駄箱。
【請求項２】
箱列（１）は屋根体（３）と台体（４）との間に、靴収容体（２）を上下方向に３〜５段組立て構成したものであり、組箱（１０）は２〜８列に接続する中間箱列（１Ｄ）と、その左右に接続する最側端箱列（１Ｃ）とから構成したものであることを特徴とする請求項１記載の組立て式下駄箱。
【請求項３】
屋根体（３）の左右方向の接続にて屋根（３０）が構成され、屋根（３０）は前方側にシャッター格納部（３２）を形成し、組箱（１０）を構成する最上位段（１Ａ）の上に、シャッター格納部（３２）から組箱（１０）の前方側に向けて昇降する巻取り式シャッター（８０）を備え、シャッター（８０）にて組箱（１０）の開口部（２１）を開閉し得るようにしたことを特徴とする請求項１または２記載の組立て式下駄箱。
【請求項４】
屋根体（３）は左右側壁（３ａ）の前方側に切欠可能部（３１）を備え、屋根体（３）から成る屋根（３０）の左右端以外の切欠可能部（３１）を取除き、屋根（３０）の前側に下向きに開口するシャッター格納部（３２）を形成し、側板（５０）は靴収容体（２）の前後幅（ｈ）より幅広く、前方側に縦溝（５１）を設け、該縦溝（５１）にシャッターガイド（９）を取付けていることを特徴とする請求項３記載の組立て式下駄箱。
【発明の詳細な説明】
【技術分野】
【０００１】
本発明は、主に靴類を収納する組立て式下駄箱に関するものである。
【背景技術】
【０００２】
下駄箱は、多くの人々が利用する学校（幼稚園、保育所も含む）や各種施設（公民館、体育館、神社仏閣、銭湯、旅館等）の出入り口に備えるものであり、大別すると屋内に配置する屋内用下駄箱と、屋外側に配置する屋外用下駄箱とがある。これらの下駄箱は外履きと室内履きとの交換場所や、室内履きと運動靴との交換場所に配置される。
下駄箱は、学校や施設を利用する人数に応じて専用に構築されていたが、専用に構築すると高価になるため、近年、３段４列、４段６列等に企画化（量産化）された下駄箱を用いることも試みられている。
【０００３】
臨時的に用いる下駄箱、例えば、イベント時や冠婚葬祭時に用いる下駄箱として、組立て式の下駄箱も提案されている。
【特許文献１】実用新案公報平２−３７３８４号公報
【特許文献２】実用新案公報平６−２６１８３号公報
【特許文献３】実用新案登録公報第２５９８６４６号公報
【特許文献４】実開平６−７７５７２号公報
【発明の開示】
【発明が解決しようとする課題】
【０００４】
下駄箱を企画化（量産化）するとしても、経済的には２〜３数種類程度しか企画化することができず、そのため、数種類の内から選択利用しなければならず、その結果、大きすぎたり、小さすぎたりする問題点があつた。
一方、組立て式の下駄箱は、コンパクトに格納したり輸送し得る利点はあるものの、組立て手段が複雑で手間がかかり、組立て状態において不安定になる問題点もあつた。
そこでこの発明は、従来技術の有するこのような問題点に鑑みてなされたものであり、その目的とするところは、利用人数と設置場所に応じて構成することのできて、しかも極めて簡単堅牢に構成し得る組立て式下駄箱を提供することにある。
【課題を解決するための手段】
【０００５】
本発明の組立て式下駄箱は、請求項１として、前方開口部と上方開口部を有する靴収容体と、該靴収容体を上下方向に接続した最上位段の上に取付ける屋根体と、最下位段の下に取付ける台体とにより箱列を構成し、その箱列を左右方向に接続固定して組箱を組立て、組箱の最側端箱列の外側に側板を取付けるものであり、靴収容体と台体に上方接続手段を、靴収容体と屋根体に下方接続手段を備え、靴収容体と屋根体と台体とを上下方向に接続すると共に、靴収容体と屋根体と台体と側板の各々に側方接続手段を備え、これらを左右方向に接続していることを特徴とする。
請求項２は、請求項１の組立て式下駄箱において、箱列は靴収容体を上下方向に３〜５段組立て構成したものであるし、組箱は２〜８列に接続する中間箱列と、その左右に接続する最側端箱列とから構成したものであることを特徴とする。
【０００６】
ここで組立て式下駄箱とは、靴収容体と屋根体と台体とを上下方向に接続し、靴収容体と屋根体と台体と側板とを左右方向に接続して組立てるものを言う。
ここで靴収容体とは、前方開口部と上方開口部を有する枡状のものを言い、前方開口部より一足分の履物を出し入れ自在に収容するものと、中間高さに棚板を取付けて二足分を出し入れ自在に収容するものとを言う。
ここで箱列とは、靴収容体を３〜５段に連結し、その最上位段に屋根体を、最下位段に台体を接続するもので、屋根体を予め接続しておく中間箱列と、屋根体を後から接続する最側端箱列とを言い、組箱とは、複数の中間箱列を左右方向に接続し、その両側に最側端箱列を接続するものを言う。
ここで上方接続手段と下方接続手段とは、靴収容体と屋根体、靴収容体と台体、及び靴収容体同士を上下方向に接続固定する仕組みを言い、例えば横向き鉤爪、前向き鉤爪、後向き鉤爪の一つと、鉤爪に係止する鉤孔とを言う。また側方接続手段とは、靴収容体と側板、靴収容体同士、屋根体同士、台体同士を左右方向に接続固定する仕組みを言い、例えば貫通横孔部を少なくとも前後に備えておき、その貫通横孔部を左右に連通し得るようにし、連通状態にある貫通横孔部を固定具にて固定するものを言う。
【０００７】
請求項３は、請求項１，２の組立て式下駄箱において、屋根体の左右方向の接続にて屋根が構成され、屋根は前方側にシャッター格納部を形成し、組箱を構成する最上位段の上に、シャッター格納部から組箱の前方側に向けて昇降する巻取り式シャッターを備え、シャッターにて組箱の開口部を開閉し得るようにしたことを特徴とする。
請求項４は、請求項３の組立て式下駄箱において、屋根体は側壁の前方側に切欠可能部を備え、屋根体から成る屋根の左右端以外の切欠可能部を取除き、屋根の前側に下向きに開口するシャッター格納部を形成し、側板体は靴収容体の前後幅より幅広く、前方側に縦溝を設け、該縦溝にシャッターガイドを取付けていることを特徴とする。
【０００８】
ここで屋根体とは、最上位段の靴収容体に取付けるもので、左右の接続により屋根を構成するものを言い、側壁の前方側に切欠可能部を備え、屋根の左右端に位置する側壁以外の切欠可能部を取除き、下向きに開口するシャッター格納部を形成するものを言う。
ここで台体とは、最下位段の靴収容体の下に取付けるもので、左右の接続により支持台を構成するものを言う。
ここで側板とは、靴収容体に接続する側板体と、屋根体に接続する屋根用側板体と、台体に接続する台用側板体とから成り、少なくとも側板体と台用側板体とは靴収容体の前後幅より幅広く、前方側に縦溝を備えるものを言い、縦溝にシャッターガイドを取付け、巻取り式シャッターのシートを昇降自在に案内するものを言う。
ここで巻取り式シャッターとは、一定幅と一定長さを有するシートを巻取り自在に備えるものを言い、シャッター格納部とは、シャッター最大巻取り径より大きい空間部で、巻取り式シャッターの配置を可能にする空間を言う。
【発明の効果】
【０００９】
本発明による組立て式下駄箱は上記構造のとおりであるから、次に記載する効果を奏する。
請求項１，２の組立て式下駄箱は、箱列を構成する靴収容体と屋根体と台体、及び最側端箱列の外側に取付ける側板の各々が組立て式であるから、需要者の求めに応じて３〜５段、４〜１０列の下駄箱を提供し得る。しかも、靴収容体と屋根体と台体は、共通の上方接続手段と下方接続手段にて上下方向に接続し得るし、靴収容体と屋根体と台体と側板は、共通の側方接続手段にて左右方向に接続し得るので、組立てが至って簡単容易である。また、構成部品が共通するので、安価に提供し得る。更に一部を工場で組立て、最終組立てを現場でし成した後、設置することもできるし、工場又は現場で最初から最後まで組立てることも可能である。一度組立てた下駄箱は、廃棄するまで分解することがないので、簡単な接続手段を用いることができる。
【００１０】
請求項３の組立て式下駄箱は、請求項１，２の組立て式下駄箱において、屋根の前方側にシャッター格納部を形成し、組箱最上位段の上に、組箱の支持台まで昇降する巻取り式シャッターを備えているので、屋外側に設置することも可能である。即ち、天候に応じて、或は履物の収容が終了した時、前方開口部を閉鎖しておくことができる。
請求項４は、請求項３の組立て式下駄箱において、屋根体の側壁に切欠可能部を備えているので、該切欠可能部を取除くだけで、下向きに開口するシャッター格納部を簡単に形成し得る。しかも、側板にシート側端部を案内するシャッターガイドを備えているので、シャッターを安定した状態で昇降することができる。
【発明を実施するための最良の形態】
【００１１】
本発明による組立て式下駄箱の最良形態を図１〜図１１に基づき説明すれば、上下方向及び左右方向に接続可能となる靴収容体２と、接続状態にある靴収容体２の最上位段１Ａの上に取付ける屋根体３と、最下位段１Ｂの下に取付ける台体４とにより箱列１を組立て、該箱列１を左右方向に接続固定して組箱１０を構成し、組箱１０の最側端箱列１Ｃの側方に側板５０を取付けるものであり、靴収容体２は前方開口部２１と上方開口部２２とを備えた枡状を成し、上側に上方接続手段６を、下側に下方接続手段７を、左右に側方接続手段８を備え、前方開口部２１から内部に履物を出し入れ自在に格納するものであり、屋根体３は下側に下方接続手段３７を、左右に側方接続手段３８を備え、屋根体３の左右接続により屋根３０を構成し、屋根３０の前方側にシャッター格納部３２を形成し、台体４は上側に上方接続手段４６を、左右に側方接続手段４８を備え、台体４の左右接続により支持台４０を構成し、側板５０は靴収容体２に取付ける側板体５と、屋根３０の左右に取付ける屋根用側板体５Ａ，５Ｂと、支持台４０の左右に取付ける台用側板体５Ｃとから成り、組箱１０を構成する最上位段１Ａの上に、屋根３０のシャッター格納部３２に挿入し組箱１０の前方開口部２１の前側において昇降する巻取り式シャッター８０を備え、前方開口部２１を開閉し得るようになっている。
【００１２】
靴収容体２は図２−１乃至図２−４の如く、左右側壁２ａと背壁２ｂと底壁２ｄとを備え、前方開口部２１と上方開口部２２とを有し、左右側壁２ａの数箇所に側方接続手段８を対象に備え、例えば左右側壁２ａの上下端より一定位寸法中央寄りに位置する横架空線Ｘ１，Ｘ２と、左右端より一定位寸法中央寄りに位置する縦架空線Ｙ１，Ｙ２の交点の少なくとも三ヶ所に設け、二個の靴収容体２，２を左右に隣接した時、両靴収容体２，２の側方接続手段８，８同士を連通し、固定具７０にて固定する一方、左右側壁２ａの上端から側方に突出する上接合片６ａに上方接続手段６を、左右側壁２ａの下端から側方に突出する下接合片６ｂに下方接続手段７を備え、二個の靴収容体２，２を上下に接続する場合、下位上接合片６ａと上位下接合片６ｂとが面接し、下位靴収容体２の上方接続手段６と上位靴収容体２の下方接続手段７とを相互に係合する。
【００１３】
屋根体３は図３−１乃至図３−４の如く、靴収容体２の上方開口部２２を覆う天板３ｃの左右に側壁３ａを、前側に庇３ｄを、後側に背壁３ｂを備え、左右側壁３ａは中間高さ位置に補助側方接続手段３９と、靴収容体側方接続手段８に連通する側方接続手段３８とを備え、側方接続手段３８は例えば靴収容体２における体側方接続手段８の配置位置である縦架空線Ｙ１，Ｙ２に一致する二ヶ所に設け、且つ下端から側方に突出する下接合片６ｂに、最上位段１Ａの上方接続手段６と係合する下方接続手段７を備え、前方側に巻取り式シャッター８０の最大巻取り径Ｒより一回り大きい切欠可能部３１を設け、切欠可能部３１の取除きにてシャッター格納部３２を形成する。
台体４は図４−１乃至図４−５の如く、靴収容体２を載せる載置壁４ｄの左右に支持壁４ａを、前後に前後壁４ｃを備え、且つ四隅に脚取付部４１を、底面に着地部４２を設け、支持壁４ａは中間高さ位置に補助側方接続手段４９と、靴収容体側方接続手段８と同様の側方接続手段４８を備え、例えば側方接続手段４８を屋根体３と同様に、靴収容体２における側方接続手段８の配置位置である縦架空線Ｙ１，Ｙ２に一致する二ヶ所に設け、支持壁４ａの上端から側方に突出する上接合片６ａに、最下位段１Ｂの下方接続手段７と係合する上方接続手段４６をを備えている。
【００１４】
側板５０を構成する側板体５は図５−１乃至図５−３の如く、靴収容体２の前後幅ｈより幅広く、靴収容体２の側方接続手段８に連通する側方接続手段５８を設け、固定時に靴収容体２より前方に突出する張出部に、靴収容体２側に向けて開口する縦溝５１を形成し、縦溝５１を形成する溝壁５３と、溝底の数箇所に設けた雌ねじ部５２にて側板用シャッターガイド９の取付けを可能にする。
側板５０を構成する屋根用左側板体５Ａは図６−１と図６−２の如く、屋根体３の左側面に合致する形状を成し、中間高さ位置に補助側方接続手段５９Ａと、屋根体３の側方接続手段３８に連通する側方接続手段５８Ａとを備え、屋根３０のシャッター格納部３２を塞ぐ。屋根用右側板体５Ｂは屋根用左側板体５Ａと対象形状を成すので説明を省略する。
側板５０を構成する台用側板体５Ｃは図７−１と図７−２の如く、台体４の上下高さと同等で、側板体５と同幅を有し、中間高さ位置に補助側方接続手段５９Ｃと、台体４の側方接続手段４８に連通する側方接続手段５８Ｃとを備え、固定時に台体４より前方に突出する張出部に、側板体縦溝５１に連通する縦溝５１Ｃを設け、側板体５と同様に、縦溝５１Ｃを形成する溝壁５３Ｃと、溝底に設けた雌ねじ部５２Ｃにて台用シャッターガイド９Ｃの取付けを可能にする。
【００１５】
巻取り式シャッター８０は図１０の如く、芯軸８１に長尺シート８２の長手側の一端を取付け、芯軸８１の左右に軸受け８４を備え、長尺シート８２の下端に引手８３を備えるものであり、長尺シート８２のシート幅は組箱１０の箱列数に、シート長さは靴収容体２の段数に対応し、軸受け８４を最上位段１Ａの上面前方側に固定するアタッチメント８５にて取付けるものである。
側板用シャッターガイド９は図８−１と図８−２の如く、側板体５の縦溝５１に嵌合する嵌込み部９１の反対側にシャッターシート８２の案内溝９２を備え、嵌込み部９１に側板体縦溝５１の雌ねじ部５２に連通する抜孔部９３と、図１１−２の如く縦溝５１の溝壁５３に弾力的に係止する係止部９４とを備え、抜孔部９３より雌ねじ部５２に螺入するネジＮに固定する。
台用シャッターガイド９Ｃは図９−１乃至図９−３の如く、台用側板体５Ｃの縦溝５１Ｃに嵌合固定する嵌込み部９１Ｃと、側板用シャッターガイド９の案内溝９２に連通するシャッター案内溝９２Ｃを備え、嵌込み部９１Ｃに台用側板体縦溝５１Ｃの雌ねじ部５２Ｃに連通する抜孔部９３Ｃと、縦溝５１Ｃの溝壁５３Ｃに弾力的に係止する係止部９４Ｃとを備え、抜孔部９３Ｃより雌ねじ部５２Ｃに螺入するネジＮに固定するものである。
【００１６】
本発明による組立て式下駄箱は上記構造であるから、予め、最側端箱列１Ｃに組立てる屋根体３の接続側側壁３ａと、中間箱列１Ｄに組立てる屋根体３の左右側壁３ａの切欠可能部３１を取り除いておく。
先ず二個の靴収容体２，２を上下に量ね、その際、下段靴収容体２の上接合片６ａに上段靴収容体２の下接合片６ｂを後方にずらして重なるようにし、下段靴収容体２の上方接続手段６と上段靴収容体２の下方接続手段７とを嵌合した後、上段靴収容体２を下段靴収容体２と一致するまで前方に押し込めば、上方接続手段６と下方接続手段７とが係合し、二個の靴収容体２，２を上下離脱不能に一体化する。
更に別の靴収容体２を同じ手順で組立て、最下位段１Ｂに台体４を、最上位段１Ａに切欠可能部３１を取り除いた屋根体３を、靴収容体２における連結と同様の手順で組立て、図１１−１の如く３段式の中間箱列１Ｄを２組構成する。
また、台体４と３個の靴収容体２とを、前記手順と同様に組立て、２組の最側端箱列１Ｃを構成する。
【００１７】
次に、２組の中間箱列１Ｄ，１Ｄを左右に隣接し、両中間箱列１Ｄ，１Ｄの靴収容体２，２を相対し、相対する側壁２ａ，２ａに設けた側方接続手段８，８を固定具７０にて固定する一方、相対する台体４，４の側方接続手段４８，４８、及び相対する屋根体３，３の側方接続手段３８，３８を、靴収容体２，２と同様の手順にて固定し、２組以上の中間箱列１Ｄを順次接続し、一体化する。
一体化した中間箱列１Ｄの左右に最側端箱列１Ｃを隣接し、相対する中間箱列１Ｄと最側端箱列１Ｃの靴収容体２，２同士、及び台体４，４同士を、中間箱列１Ｄの一体化と同様の手順で連結し、３段４列から成る組箱１０を形成する。
【００１８】
３段４列から成る組箱１０の左右に側板５０を各々相対し、その際、側板用シャッターガイド９と台用シャッターガイド９Ｃとを内側に向け、最側端箱列１Ｃより前方側に突出するようにし、靴収容体２の側方接続手段８と側板体５の側方接続手段５８を連通し、固定具７０にて一体化する。
３段４列から成る組箱１０において、最側端箱列１Ｃの上面の前方側にアタッチメント８５を取付け、アタッチメント８５に巻取り式シャッター８０の軸受け８４を固定し、芯軸８１に巻付けたシート８２の左右端部を側板用シャッターガイド９に導入する。
最後に最側端箱列１Ｃの上に屋根体３を載置し、その際、屋根体３の下方接続手段３７と最上段靴収容体２の上方接続手段６とを係合し、上下離脱不能に係合する。
【実施例１】
【００１９】
本発明による組立て式下駄箱の第一実施例を、最良形態と相違する点について説明すると、第一実施例の組立て式下駄箱は図１２−１の如く、靴収容体２と屋根体３と台体４とにより４段の中間箱列１Ｄを構成し、その中間箱列１Ｄを左右方向に３列接続し、その左右に最側端箱列１Ｃを接続し、４段６列の組箱１０を構成する。その際、屋根体３から成る屋根３０にシャッター格納部３２を形成し、組箱１０を構成する最上位段１Ａの上に、シャッター格納部３２に挿入し組箱１０の前方開口部２１の前側において昇降する巻取り式シャッター８０を備えておく。
【００２０】
本発明による組立て式下駄箱の第二実施例を、第一実施例と相違する点について説明すると、第二実施例の組立て式下駄箱は図１２−２の如く、靴収容体２と屋根体３と台体４とにより３段の中間箱列１Ｄを構成し、その中間箱列１Ｄのみを左右方向に４列接続し、３段４列の組箱１０を構成するものであり、アタッチメント８５の取付けと、巻取り式シャッター８０の装着を除き、最良の形態の構成部品をそのまま活用して組立て得る。
その際、屋根体３の接続時には、左右側壁３ａに設けた切欠可能部３１の取除きは不要となる。
【００２１】
本発明による組立て式下駄箱の第三実施例を、第二実施例と相違する点について説明すると、第三実施例の組立て式下駄箱は図１２−３の如く、靴収容体２と屋根体３と台体４とにより４段の中間箱列１Ｄを構成し、その中間箱列１Ｄのみを左右方向に５列接続し、４段５列の組箱１０を構成するものである。その他は、第二実施例と同様である。
【産業上の利用可能性】
【００２２】
靴収容体２の左右方向と上下方向との接続は、３段４列に限定されるものではなく、最大５段１０列まで組立て可能である。また、本発明による組立て式下駄箱の組立て手順は実施例に限定されるものではなく、その手順は自由である。
靴収容体２を構成する左右側壁２ａの中間高さの前後に、図１−１と図１２−１乃至図１２−３の如く棚係止孔２６を対象に設け、該棚係止孔２６を利用して棚板６０を備えれば、二足の靴類を格納することも可能である。
棚板６０は図１３−１乃至図１３−４の如く、靴収容体２の前方開口部２１より内部に挿入可能となる板部６１の左右に、靴収容体２の側壁２ａに設けた棚係止孔２６に係止する差込部６２，６３を備えている。
靴収容体２の背壁２ｂに、組箱１０を建物に固定するための取付孔２３を設け、ネジ止めや釘付けを可能にしておくことが好ましいし、底壁２ｄに排水溝２４を、前側に下降傾斜部２５を形成することが好ましい。
【００２３】
靴収容体２の下方接続手段７、及び屋根体３の下方接続手段３７として、図１４−１の如く横向きの鉤爪１６を突設し、靴収容体２の上方接続手段６、及び台体４の上方接続手段４６として、図１４−２の如く鉤爪１６と係合する鉤孔１７を備え、鉤孔１７の広口部１７ａに鉤孔１７を挿入した後、鉤孔１７を狭口部１７ｂ側にスライドすることで、離脱不能に係止する。反対に、下方接続手段７，３７として鉤孔１７を、上方接続手段６，４６として鉤爪１６を用いることも可能である。また、鉤爪１６の向きは前向き、後向きであっても同様の目的を達成するし、上下方向に固定し得るものであれば、鉤爪１６と鉤孔１７とに限定されるものではなく、公知の手段を採用し得る。
靴収容体２の側方接続手段８、屋根体３の側方接続手段３８、台体４の側方接続手段４８、側板体５の側方接続手段５８として貫通横孔部１８を用いる。特に、側板５０の側方接続手段５８に設ける貫通横孔部１８にあっては、図１３−３の如く外側に大径部１８ａを、内側に小径部１８ｂを形成する。
【００２４】
固定具７０として、図１５−１の如くアレンレンチで回動する鍔付きボルト７２と、図１５−２の如く鍔付きナット７１を用いる。
少なくとも靴収容体２の左右側壁２ａと背壁２ｂと底壁２ｄに補強リブ２ｅを、屋根体３の左右側壁３ａと背壁３ｂと庇３ｃに補強リブ３ｅを、台体４の支持壁４ａと前後壁４ｂと載置壁４ｄに補強リブ４ｅを、側板体５，５Ａ，５Ｂ，５Ｃに補強リブ５ｅを、シャッターガイド９，９Ｃに補強リブ９ｅを備えることで、耐久力が向上する。
靴収容体２の左右側壁２ａの前側に、上接合片６ａと下接合片６ｂとに連続する前化粧片７ａを、後側に後化粧片７ｂを備えると、美観が向上する。
台体４の脚取付部４１に支持脚（図示せず）を必要に応じて取付けることができるし、巻取り式シャッター８０には既存のものを活用することができる。
側板体５の側方接続手段５８である貫通横孔部１８の外側から靴収容体２の側方接続手段８に固定具７０の鍔付きボルト７２を挿入し、側方接続手段８より靴収容体２内に露出した鍔付きボルト７２に鍔付きナット７１を螺入し、靴収容体２と側板体５とを固定した後、貫通横孔部１８の大径部１８ａに図１１−３の如くキャップ１５を取付け、貫通横孔部１８を隠蔽することも可能である。
【図面の簡単な説明】
【００２５】
【図１−１】本発明による組立て式下駄箱の最良形態を示すシャッター上昇時の斜視図である。
【図１−２】シャッター下降時の最良形態を示す斜視図である。
【図２−１】組立て式下駄箱を構成する靴収容体の斜視図である。
【図２−２】靴収容体の横断面図である。
【図２−３】靴収容体の前後方向における縦断面図である。
【図２−４】靴収容体の左右方向における要部縦断面図である。
【図３−１】組立て式下駄箱を構成する屋根体の斜視図である。
【図３−２】屋根体の側面図である。
【図３−３】屋根体の横断面図である。
【図３−４】屋根体の側方接続手段と補助側方接続手段を示す縦断面図である。
【図４−１】組立て式下駄箱を構成する台体の斜視図である。
【図４−２】台体の側面図である。
【図４−３】台体の横断面図である。
【図４−４】台体の脚取付部を示す縦断面図である。
【図４−５】台体の側方接続手段を示す縦断面図である。
【図５−１】組立て式下駄箱を構成する側板体の正面図である。
【図５−２】側板体の背面図である。
【図５−３】側板体の側方接続手段を示す横断面図である。
【図６−１】組立て式下駄箱を構成する屋根用側板体の背面図である。
【図６−２】その横断面図である。
【図７−１】組立て式下駄箱を構成する台用側板体の正面図である。
【図７−２】その横断面図である。
【図８−１】側板体用シャッターガイドの正面図（イ）と背面図（ロ）である。
【図８−２】その横断面図である。
【図９−１】台用シャッターガイドの正面図である。
【図９−２】その背面図である。
【図９−３】その横断面図である。
【図１０】巻取り式シャッターの正面図である。
【図１１−１】箱列の斜視図である。
【図１１−２】側板体に対するシャッターガイドの取付け情態を示す横断面図である。
【図１１−３】キャップの底面図（イ）と図１１−２のＸ−Ｘ断面図（ロ）である
【図１２−１】組立て式下駄箱の第一実施形態を示す斜視図である。
【図１２−２】組立て式下駄箱の第二実施形態を示す斜視図である。
【図１２−３】組立て式下駄箱の第三実施形態を示す斜視図である。
【図１３−１】靴収容体内に取付ける棚板の平面図である。
【図１３−２】棚板の正面図である。
【図１３−３】図１３−１のＸ−Ｘ断面図である。
【図１３−４】図１３−１のＹ−Ｙ断面図である。
【図１４−１】上方接続手段の鉤爪を示す側面図（イ）と正面図（ロ）である。
【図１４−２】下方接続手段の鉤孔を示す平面図である。
【図１５−１】側方接続手段の結合に用いる鍔付ボルトの側面図（イ）と正面図（ロ）である。
【図１５−２】側方接続手段の結合に用いる鍔付ナットの側面図（イ）と一部切欠正面図（ロ）である。
【符号の説明】
【００２６】
１  箱列、１０  組箱
１Ａ  最上位段、１Ｂ  最下位段、１Ｃ  最側端箱列、１Ｄ  中間箱列
２  靴収容体、２ａ  側壁
２１  前方開口部、２２  上方開口部
３  屋根体、３ａ  側壁
３０  屋根、３１  切欠可能部、３２  シャッター格納部
４  台体、４０  支持台
５  側板体、５Ａ，５Ｂ  屋根用側板体、５Ｃ  台用側板体
５０  側板、５１，５１Ｃ  縦溝
６，４６  上方接続手段
７，３７  下方接続手段
８，３８，４８，５８，５８Ａ，５８Ｂ，５８Ｃ  側方接続手段
９，９Ｃ  シャッターガイド
８０  巻取り式シャッター、８１  芯軸、８２  シート、８３  引手
ｈ  靴収容体の前後幅
Ｒ  シャッターの最大巻取り径
Ｘ１，Ｘ２  横架空線
Ｙ１，Ｙ２  縦架空線
【図１−１】
2008119292.tif 000003
【図１−２】
2008119292.tif 000004
【図２−１】
2008119292.tif 000005
【図２−２】
2008119292.tif 000006
【図２−３】
2008119292.tif 000007
【図２−４】
2008119292.tif 000008
【図３−１】
2008119292.tif 000009
【図３−２】
2008119292.tif 000010
【図３−３】
2008119292.tif 000011
【図３−４】
2008119292.tif 000012
【図４−１】
2008119292.tif 000013
【図４−２】
2008119292.tif 000014
【図４−３】
2008119292.tif 000015
【図４−４】
2008119292.tif 000016
【図４−５】
2008119292.tif 000017
【図５−１】
2008119292.tif 000018
【図５−２】
2008119292.tif 000019
【図５−３】
2008119292.tif 000020
【図６−１】
2008119292.tif 000021
【図６−２】
2008119292.tif 000022
【図７−１】
2008119292.tif 000023
【図７−２】
2008119292.tif 000024
【図８−１】
2008119292.tif 000025
【図８−２】
2008119292.tif 000026
【図９−１】
2008119292.tif 000027
【図９−２】
2008119292.tif 000028
【図９−３】
2008119292.tif 000029
【図１０】
2008119292.tif 000030
【図１１−１】
2008119292.tif 000031
【図１１−２】
2008119292.tif 000032
【図１１−３】
2008119292.tif 000033
【図１２−１】
2008119292.tif 000034
【図１２−２】
2008119292.tif 000035
【図１２−３】
2008119292.tif 000036
【図１３−１】
2008119292.tif 000037
【図１３−２】
2008119292.tif 000038
【図１３−３】
2008119292.tif 000039
【図１３−４】
2008119292.tif 000040
【図１４−１】
2008119292.tif 000041
【図１４−２】
2008119292.tif 000042
【図１５−１】
2008119292.tif 000043
【図１５−２】
2008119292.tif 000044